(57)【要約】【課題】測量時に計測対象である測量用スタッフの前後方向の傾斜状況を容易に把握できる測量用スタッフを提供する。【解決手段】測量用スタッフにおいて、測量レベル器に対向する面である表示面に高低差を有する突起部平面と両端の窪み平面およびこの突起平面と窪み平面との間の傾斜面とを形成し、かつ、前記窪み平面と前記傾斜面との間に渡ってスタッフ下端から同一高さの一直線状の標準線表示を形成した。【選択図】  図１
2004333354.tif 000002
【特許請求の範囲】
【請求項１】
測量用スタッフにおいて、測量レベル器に対向する面である表示面に高低差を有する突起部平面と両端の窪み平面およびこの突起平面と窪み平面との間の傾斜面とを形成し、かつ、前記窪み平面と前記傾斜面との間に渡ってスタッフ下端から同一高さの一直線状の標準線表示を形成したことを特徴とする測量用スタッフ。
【請求項２】
測量用スタッフの計測域の表面に外部から装着され、測量レベル器に対向する面である表示面に高低差を有する突起部平面と両端の窪み平面およびこの突起平面と窪み平面との間の傾斜面とを形成し、かつ、前記窪み平面と前記傾斜面との間に渡ってスタッフ下端から同一高さの一直線状の標準線表示を形成したことを特徴とする測量用スタッフ装着具。
【発明の詳細な説明】
【０００１】
【発明の属する技術分野】
本発明は、垂直に起立しない測量スタッフから容易に垂直誤差を読み取ることができる測量用箱尺、標尺ないしスタッフに関する。
【０００２】
【従来技術】
二点間の高低差を測量する水準測量の場合には、図３に示すように、高低差を求める２点に測量用箱尺、標尺ないしスタッフ（以下、単に「測量用スタッフ」という。）を配置し、これを、別途に配置した測量器（以下、単に「レベル」という。）で読み取り、２点間の高低差を計測する。図３は、２点間の高低差を計測する際の水準測量の概略を示す図であり、１０１は、レベル、１０２は、Ａ地点に配置される測量スタッフ、１０３は、Ｂ地点に配置される測量スタッフである。実際には、前記Ａ地点及びＢ地点のそれぞれに測量補助者を配置して、これらの補助者に当該測量用スタッフ１０２，１０３を携行させ、所定地点に垂直に起立させ、測量用スタッフ１０２，１０３に示される目盛りを前記レベル１０１で読み取ることにより行われる。
【０００３】
ところが、このように２点間にそれぞれ配置される測量用スタッフであるが、配置地点が平滑で安定的な場所であるならば、補助者は容易に当該測量用スタッフを垂直に起立させることができるのであるが、実際は、Ａ、Ｂ地点等は崖っぷちであったり、補助者が立つことさえ難しい場所であることが少なくない。そのような場合には、精密な高低差の測量を行うことは難しく、誤差が生じる結果となっていた。
【０００４】
そこで、当該測量用スタッフを垂直に起立せしめるために、特開平１０−１９７２５０号公報の図１１に示されるような補助者が当該測量用スタッフが垂直かあるいは傾倒しているかどうかをその場で認識できる水準器を設けた測量用スタッフが提案されている（特許文献１参照）。図４は、特開平１０−１９７２５０号公報の図１１に示される水準器を設けた従来の測量用スタッフの概略構成を示す図であり、図４において、１０５は、外筒体であり、１０６は、該外筒体１０５内に習動可能に挿通される内筒体である。
【０００５】
また、１０８は、前記該筒体１０５の延部に設けられた水準器である。したがって、当該外筒体１０５および内筒体１０６からなる測量用スタッフを携行した補助者が、前記水準器１０８を常時注視して当該測量用スタッフを垂直なるように維持して、測量を実行すれば精密な測量を行うことは可能である。
【特許文献１】特開平１０−１９７２５０号公報
【０００６】
【発明が解決しようとする課題】
しかしながら、上述したと同様に、その測量用スタッフの配置地点が平滑であり安定的な場所であるならば、測量用スタッフを携行する補助者にそれを強いることが比較的容易であるが、測量用スタッフの配置地点の足場が悪かったり、平滑状態や安定状態が悪い現場では、このような水準器１０８に注視して常時水平垂直状態を維持しつつ、補助者の足場を確保したりしなければならないこととなり、このことは、補助者にとっては一方では水準器を注視して測量用スタッフを垂直に保つことと、自己の足場への注意の双方への注意を強いることとなり、その結果、測量用スタッフの垂直が維持されないこととなる。
【０００７】
特に問題なのは、レベルで覗いている測定者が、当該測量用スタッフが傾倒しているにも拘わらず、その測量用スタッフが垂直になっているかどうか知り得ないことである。すなわち、レベルに対して、左右に傾倒する場合には、測定者は傾いていることが比較的認識可能であり、それを補助者に伝え、左右の傾きを修正することは可能であるが、当該測量用スタッフが測定者に対して前後に傾いている場合には、従来の測量用スタッフを用いる場合には、傾きが生じているのかどうかを把握することさえ難しく、結果的に、前後に傾きのあるままに測量をして誤差を生じてしまうおそれがあった。
【０００８】
図５は、このような目盛り表示面が同一の平面上に表示される従来の測量用スタッフの概略を示す図あり、図中の符号１１０は、スタッフ自体を示し、１１１は、当該スタッフ１１０の外枠、１１２は、当該測量地点の地面からの高さを示す数字表示であり、スタッフ１１０の下端からの距離を示している。また、１１３は、その高さを示す数字表示１１２に相当する高さを示す基準線、１１４は、表示目盛りを精度良く読みとるための補助的な表示である。
【０００９】
しかしながら、これら従来の測量用スタッフ１１０においては、これらの表示１１２、１１３、１１４の全てが当該スタッフ１１０の同一の表面に表示されており、前後の高低差のない同一の面に表示されている。このことは、この表面を読み取る測量者は、レベルに対して左右に傾斜する場合には、レベルを覗き込むことにより、割合と容易にその傾斜を把握することができるのであるが、レベルに対して前後に当該スタッフ１１０が傾斜する場合には、当該スタッフ１１０自体を側面からでも見ない限り、この傾斜をは認識することはできなかった。
【００１０】
換言すれば、従来の測量スタッフ１１０を使用する場合には、そこに表示される表示は同一の平面上に表示されているので、測量用スタッフ自体が左右方向に傾斜している場合には、容易にその傾斜を認識することができるのであるが、測量用スタッフ自体が前後方向に傾斜している場合には、単に表示表面のピントぼけとして現れるにすぎないので、被写体深度の浅いレベルでは、その傾斜を認識することができないという欠点を有している。
【００１１】
そこで、本願発明者は、測量しやすい測量用スタッフを鋭意工夫した結果、表面に突起平面と窪み平面およびその間の傾斜面を有し、当該窪み平面と傾斜面の双方に同一レベルを表示する目盛り線を表示し、該目盛り線を前記レベルで目視する際にレベル内に表示される水平照準線を利用してその狂いを読み取ることにより、測量用スタッフの前後の傾斜状況を把握する測量用スタッフを案出するに至った。
【００１２】
【課題を解決するための手段】
上記目的を達成するために、本願請求項１に係る発明は、測量用スタッフにおいて、測量レベル器に対向する面である表示面に高低差を有する突起部平面と両端の窪み平面およびこの突起平面と窪み平面との間の傾斜面とを形成し、かつ、前記窪み平面と前記傾斜面との間に渡ってスタッフ下端から同一高さの一直線状の標準線表示を形成したことを特徴とする。
また、本願請求項２に係る発明は、測量用スタッフの計測域の表面に外部から装着される測量用スタッフ装着具において、測量レベル器に対向する面である表示面に高低差を有する突起部平面と両端の窪み平面およびこの突起平面と窪み平面との間の傾斜面とを形成し、かつ、前記窪み平面と前記傾斜面との間に渡ってスタッフ下端から同一高さの一直線状の標準線表示を形成したことを特徴とする。
【００１３】
【発明の実施の形態】
本発明に係る測量用スタッフの一実施の形態を示す概略構成図を用いて詳細に説明する。
本発明に係る第１の実施の形態として、まず最初に、従来の測量用スタッフ１１０に外から挿通して被せて使用することにより、本発明に係る作用効果を奏せしめるようにすることができる装着具として構成したものを例に説明する。
【００１４】
図１は、このような外部から挿通して被せて使用する測量用スタッフの装着具１の概略を示すものである。従来からのスタッフ（図示外）に、その測定域の該当部分に外部から挿通して被せて使用するものである。このため、両側は、従来のスタッフに密着して勘合するよう所定の圧着力を生じるよう構成される。図１中において、符号１は、スタッフ装着具自体、２は、中央突起部、３ａ、３ｂは、当該中央突起部２の両端に設けられた両端窪み域、４ａ、４ｂは、この中央突起部２と前記両端窪み域との間の傾斜域であり、レベルに対して所定の傾斜をもって形成されている。
【００１５】
また、５は、地面からの高さを示す高さ数字表示、６，７は、目盛りを精度良く読みとるための補助的な表示であり、所定の横幅および高さを有する帯広の横表示６（以下この表示を単に「横表示」と称する。）および、逆エル字状の表示７（以下この表示を単に「逆エル字状表示」と称する。）からなる。これらの横表示５と逆エル字状表示６とによって、熟練した測量者ならば１ｍｍ以下の測量まで測量することを可能とするものである。
【００１６】
また、８は、標準線表示である。より正確に説明すれば、本実施の形態に係るスタッフ装着具１は、従来からの測量用スタッフの表示領域に上から被せて装着できる構成を有し、その計測側表面には、従来の測量用スタッフの表面と同じような表示、すなわち、高さ表示５、横表示６，逆エル字状表示７、標準線表示８の表示自体は、従来の測量用スタッフに表示されているものと変わらない。しかしながら、本実施の形態に係るスタッフ装着具１は、そのほぼ中央に幅約３ｃｍ、高さ７．６ｍｍの縦帯状の突起を有し、かつ、この中央突起部２と両端窪み域３ａ、３ｂとの間に９ｍｍ程度幅を有する所定傾斜の傾斜域４ａ、４ｂを設けたことを特徴とする。
【００１７】
その上、本実施の形態に係る測量用スタッフ装着具１においては、前記標準線表示８が、突出された面である中央突起部２の表面と、その両端の両端窪み域３ａおよび３ｂ、さらには、その間の傾斜域４ａ、４ｂに渡って下端から同一の高さに標準線表示８が描かれている。すなわち、図１中、符号８ａで示される符号は、前記両端窪み域３ａ、３ｂに描かれる標準線表示であり、８ｂは、前記傾斜域４ａ、４ｂに表示される標準線表示である。
【００１８】
したがって、この前後に段差を持った表面に描かれた標準線表示８ａ、８ｂを所定区間離れた位置からレベル（図示外）で覗くと、測量用スタッフ１が垂直に配置されている場合には、前記両端窪み域３ａ、３ｂの上に描かれた標準線表示８ａと前記傾斜域４ａ、４ｂに表示される標準線表示８ｂとは、一直線状に見えるが、当該スタッフ装着具１が前後に傾斜する場合には、一直線状に見えず、傾斜の具合によっては、前記傾斜域４ａ、４ｂに表示される標準線表示８ｂが、前記両端窪み域３ａ、３ｂに描かれた標準線表示８ａに対して、上向きにあるいは下向きに見えることとなる。
【００１９】
図２は、本実施の形態に係る測量用スタッフ装着具１を配置し、これを約７メートルの距離をおいて、レベルで当該面を覗いた場合に、レベルから当該スタッフ装着具１の表面がどのように見えるかの見える状態を示したもので、図２（ａ）は、測量用スタッフが垂直に配置されている場合の見える状態を、図２（ｂ）は、測量者の手前方向に約  度傾いて配置されている場合の見える状態を、図２（ｃ）は、測量者から離れる方向に約  度傾いて配置されている場合の見える状態を示したものである。図２において、円形はレベルで見える状態を示したもので、その中のクロスする十字線は、レベルでの基準線を示している。
【００２０】
図２（ａ）（ｂ）（ｃ）から明らかなように、本実施の形態に係る測量用スタッフ装着具１が垂直に配置される図２（ａ）の場合は、前記両端窪み域３ａ、３ｂの上に描かれた標準線表示８ａと前記傾斜域４ａ、４ｂに表示される標準線表示８ｂとは、一直線状に見えるが、当該スタッフ装着具１が手前方向に傾斜する場合には、図２（ｂ）から明らかなように、前記両端窪み域３ａ、３ｂの上に描かれた標準線表示８ａと前記傾斜域４ａ、４ｂに表示される標準線表示８ｂとは、一直線状に見えず、前記両端窪み域３ａ、３ｂの上に描かれた標準線表示８ａに対して、前記傾斜域４ａ、４ｂに表示される標準線表示８ｂが下向きに見え、また、当該スタッフ装着具１が後ろ方向に傾斜する場合には、図２（ｃ）から明らかなように、前記両端窪み域３ａ、３ｂの上に描かれた標準線表示８ａに対して前記傾斜域４ａ、４ｂに表示される標準線表示８ｂが上向きに見える。
【００２１】
したがって、本実施の形態に係る測量用スタッフ装着具１を使用する場合には、測量者は、前記両端窪み域３ａ、３ｂの上に描かれた標準線表示８ａに対する前記傾斜域４ａ、４ｂに表示される標準線表示８ｂの傾き具合のみを見て、そのスタッフ装着具１が、測量者に対して前後に傾いているのかどうか、正しく垂直に維持されているかどうかを容易に把握できるのであり、傾いている場合には、補助者に声をかけて、その場で傾きを是正して、精密な測量が可能となる。
【００２２】
なお、本実施の形態としては、従来の測量スタッフ１１０に外部から装着できる装着具タイプの測量用スタッフ装着具１として説明したが、これは、測量用スタッフ１１０自体の表面を本実施の形態のように構成すれば、同様の作用効果を奏する測量用スタッフとすることができ、また、帯状に構成した前記中央突起の幅、高さについては、本実施の形態の寸法に限定されるものではない。本発明の測量スタッフは、その表示面を同一平面上に構成せず、複数の面に分けて一直線状に表示するように表示したことに特徴があるのであって、これを傾けられている場合には、その傾斜が前後の高低差によって、上向きまたは下向きに見えることに基づくもので、高低差をもった二つ以上の表面に表示してこれをレベルで覗ける構成のものに容易に応用可能である。
【００２３】
【発明の効果】
本発明に係る測量用スタッフによれば、測量に際して、測量者は、前記両端窪み域３ａ、３ｂの上に描かれた標準線表示８ａに対する前記傾斜域４ａ、４ｂに表示される標準線表示８ｂの傾き具合のみを見て、そのスタッフが、測量者に対して前後に傾いているのかどうか、あるいは、正しく垂直に維持されているかどうかを容易に把握でき、もし、傾いている場合には、直ちに補助者に声をかけて、その場で傾きを是正して、精密な測量を可能とすることができるという顕著な効果を有する。
【図面の簡単な説明】
【図１】図１は、従来の測量用スタッフに外部からて被せて使用する測量用スタッフの装着具１の概略を示す図、
【図２】図２は、本実施の形態に係る測量用スタッフ装着具１を配置し、これを約７メートルの距離をおいて、レベルで当該面を覗いた場合に、レベルから当該スタッフ装着具１の表面がどのように見えるかの見える状態を示した図、
【図３】図３は、２点間の高低差を計測する際の水準測量の概略を示す図、
【図４】図４は、特開平１０−１９７２５０号公報の図１１に示される水準器を設けた従来の測量用スタッフの概略構成を示す図
【図５】図５は、目盛り表示面が同一の平面上に表示される従来の測量用スタッフの概略を示す図。
【符号の説明】
１・・・スタッフ装着具、
２・・・中央突起部、
３ａ、３ｂ・・・窪み域、
４ａ、４ｂ・・・傾斜域、
５・・・高さ表示、
６・・・横表示
７・・・逆エル字状表示、
８、８ａ、８ｂ・・・標準線表示、
１０１・・・レベル、
１０２、１０３・・・スタッフ、
１０５・・・外筒体、
１０６・・・内筒体、
１０８・・・水準器、
１１０・・・スタッフ、
１１１・・・スタッフ外枠、
１１２・・・高さ表示、
１１３・・・基準線、
１１４・・・補助的表示、
【図１】
2004333354.tif 000003
【図２】
2004333354.tif 000004
【図３】
2004333354.tif 000005
【図４】
2004333354.tif 000006
【図５】
2004333354.tif 000007